(57)【要約】      （修正有）【課題】物品のシート掛け作業を地上の作業者が安全に、かつ支障なく行えるシート掛け補助装置を提供する。【解決手段】動力走行可能な台車と、該台車に起立させて伸縮駆動装置により伸縮可能に設けられた支柱３と、支柱３の先端部に設けられたロッド支持装置と、ロッド支持装置に支持されたシート掛けロッドとを備え、ロッド支持装置は、シート掛けロッドを台車の走行方向に直交する垂直方向と水平方向に起伏可能に基部ロッド５ａを回転可能に支持し、シート掛けロッドは、基部ロッド５ａを形成するパイプに径が順次小さくなる複数のパイプからなるロッド５ｂ，５ｃを嵌め込んで伸縮自在に形成され、基部ロッド５ａに嵌め込まれたロッド５ｂの外周に回転自在に装着されたシート巻取りパイプを備えてなる。【選択図】図２
2014189320.tif 000002
【特許請求の範囲】
【請求項１】
動力走行可能な台車と、該台車に起立させて伸縮駆動装置により伸縮可能に設けられた支柱と、該支柱の先端部に設けられたロッド支持装置と、該ロッド支持装置に支持されたシート掛けロッドとを備え、
前記ロッド支持装置は、前記シート掛けロッドを前記台車の走行方向に直交する垂直方向と水平方向に起伏可能に基端部を回転可能に支持し、
前記シート掛けロッドは、前記基部を形成するパイプに径が順次小さくなる複数のパイプを嵌め込んで伸縮自在に形成され、前記基部のパイプに嵌め込まれたパイプの外周に回転自在に装着されたシート巻取りパイプを備えて形成されてなるシート掛け補助装置。
【請求項２】
前記シート掛けロッドは、先端部のパイプの周りに回転自在に装着された腕部材と、該腕部材の回転中心に対して対称位置に軸支された一対のローラとからなる補助ローラを備えていることを特徴とする請求項１に記載のシート掛け補助装置。
【請求項３】
前記シート巻取りパイプは、電動モータを備えた巻取りパイプ駆動装置により回転駆動されることを特徴とする請求項１に記載のシート掛け補助装置。
【発明の詳細な説明】
【技術分野】
【０００１】
本発明は、シート掛け補助装置に係り、具体的には保管中又は輸送中の物品を埃、風雨、露、日光から保護するために物品にシートを掛ける作業を補助する装置に関する。
【背景技術】
【０００２】
物流、倉庫作業において機械類、資材、機材、あるいはそれらが収容される梱包木箱等の物品の保管や輸送にあたって、物品が埃、風雨、露、日光に晒されるのを防ぐため、物品にシートを掛けることが行われている。また、工事現場などでは機材等を一時的に野外に保管することを避けることができない。シートには、例えば一般にブルーシートと呼ばれるポリエチレンシート、あるいは薄い布製の防水シート等が用いられる。
【０００３】
地上に置かれた物品、搬送車両に積載された物品などにシート掛けを行うに当たり、物品が大きい場合は、作業員がシートを持って物品の上に上がって掛けることもある。しかし、破損しやすい物品、作業員がつまずき易い物品などの場合は、作業員が物品上に上ることが許されない。また、物品の上に作業員が上がってシート掛けすることが許されたとしても、一般に地上２ｍ以上の高所作業は安全作業上の規制を受けるので、高さが高い物品のシート掛けは、転落防止措置などの安全対策を講ずる必要がある。しかし、多くのシート掛け作業の現場では、準備作業を含めた作業時間が増大し、作業能率の低下などの点から安全対策を採り難い。
【０００４】
そこで、作業員が物品の上に上がらなくてもシート掛けできるシート掛け装置やシート掛け方法が提案されている（例えば、特許文献１，２）。特許文献１に記載のシート掛け装置は、物品の側面に沿って走行させる台車の前後部に、それぞれ前後方向に回転可能に、かつ伸縮可能に起立して設けられた脚部の先端にアーム部を水平方向に張り出してなる回転アームを設けて構成されている。これによれば、物品の側面の後方にシート掛け装置を位置させ、前後部の回転アームの脚部を後方に倒した状態で前方の回転アームのアーム部にシートの一辺を取り付けた後、前後部の回転アームの脚部を前方に回転して起立させ、さらにアーム部が物品の高さをかわす位置まで脚部を伸長させた状態で台車を前進させる。これにより、前後部のアーム部にシートが掛け渡された状態でシートが引っ張られ、物品の一端から他端までシートを掛け渡すことができる。そして、台車が物品の反対側の端に達したとき、回転アームの脚部をさらに前方に回転させて倒し、アーム部の高さを地上の作業者がシートを取り外せる位置にする。これにより、作業者は、地上の作業だけで高さの高い物品や搬送車両に積載された物品にシート掛けすることができる。
【０００５】
一方、特許文献２に記載のシート掛け方法は、シート掛け時にシートを展開し易いように事前にシートを折り畳むことを特徴としている。すなわち、シートを幅方向に向かい合わせに半分ずつ複数回折り畳んで帯状に形成し、帯状に折り畳んだシートに補助ロープを添えてロール状に巻取り、搬送車両の運転室の屋根等に搭載しておく。シート掛けに際して、ロール状のシートを物品の一端の上に移動し、物品の他端側から補助ロープを引っ張ってロール状のシートを展開する。そして、シートの端を持って幅方向に折り畳んだシートを開いて、物品の全体に掛け渡すようにしている。これによれば、搬送車両のキャビンの屋根に上ることを除けば、高所作業を伴わずに地上からの作業でシート掛けを行うことができる。
【先行技術文献】
【特許文献】
【０００６】
【特許文献１】特開平６―２５５７２８号公報
【特許文献１】特開２００２−１２７８１０号公報
【発明の概要】
【発明が解決しようとする課題】
【０００７】
特許文献１に記載のシート掛け装置によれば、前後２つの回転アームによりシートを引っ張り上げて物品の上に掛け渡すようにしていることから、比較的スムーズにシート掛けを行うことができる。しかし、物品の長さが長い場合は、回転アームに引っ張られるシートの後端側が物品の上端の角に引っ掛かることがあり、引掛り防止具などの対策が必要になる。一方、特許文献２に記載のシート掛け方法によれば、帯状に折り畳んでロール状に丸めたシートを物品の上に持ち上げる高所作業が伴うことから、さらに安全なシート掛け装置の要請がある。
【０００８】
さらに、特許文献２のように帯状に折り畳んでロール状に丸めたシートを、特許文献１の前方の回転アームのアーム部に装着して物品の上に持ち上げ、台車を前進させてロール状に丸めた帯状のシートを物品の前後方向に掛け渡した後、帯状のシートを物品の幅方向に広げて物品全体に掛け渡すことが考えられる。
【０００９】
しかし、帯状に折り畳んだシートを回転アームのアーム部に巻き付ける作業は重労働である。また、帯状に折り畳んだシートを物品の幅方向に広げる作業は、作業者が物品の前端及び後端に垂れ下がったシートの端を掴んで広げることになるが、シートの長さが長くなるに従って重労働になる。しかも、シートが引掛って折り畳み部が広がり難い場合は、何らかの手段で物品の上に上がって、シートの引掛り等を除去する必要があるから、物品の損傷あるいは安全作業上に支障が残る。
【００１０】
本発明が解決しようとする課題は、物品のシート掛け作業を地上の作業者が安全に、かつ支障なく行えるシート掛け補助装置を提供することにある。
【課題を解決するための手段】
【００１１】
上記の課題を解決するため、本発明のシート掛け補助装置は、動力走行可能な台車と、該台車に起立させて伸縮駆動装置により伸縮可能に設けられた支柱と、該支柱の先端部に設けられたロッド支持装置と、該ロッド支持装置に支持されたシート掛けロッドとを備え、前記ロッド支持装置は、前記シート掛けロッドを前記台車の走行方向に直交する垂直方向と水平方向に起伏可能に基部を回転可能に支持し、前記シート掛けロッドは、前記基部を形成するパイプに径が順次小さくなる複数のパイプを嵌め込んで伸縮自在に形成され、前記基部のパイプに嵌め込まれたパイプの外周に回転自在に装着されたシート巻取りパイプを備えて形成されてなることを特徴とする。
【００１２】
このように構成されたシート掛け補助装置によるシート掛け作業の手順を説明する。まず、支柱の高さを短縮し、シート掛けロッドを垂直に立てて、シート掛け対象の物品のシート掛け始め位置に台車を移動し、台車がシート掛け終り位置まで物品に沿って走行でき、かつ物品のシート掛け始め位置の側面にシート掛けロッドを倒せるように、台車の位置及び向きを調整する。そして、ロッド支持装置を駆動してシート掛けロッドを水平に倒してシート巻取りパイプにシートを巻き付ける。次に、巻取られたロール状のシートの終端を作業者が保持した状態で、ロール状のシートが物品の上面をかわす位置まで支柱を伸長する。これにより、作業者が物品の上面に上るような高所作業を行うことなく、ロール状のシートを物品の上面位置に持ち上げることができる。そして、台車を物品に沿ってシート掛け終り位置まで走行させると、ロール状のシートが巻き戻されて物品の全長にわたって帯状のシートを伸延することができる。
【００１３】
つまり、シートの一端を引っ張ってシート掛けすると、シートの後端側が物品の上端の角に引っ掛かることがあるので、引掛り防止などの対策が必要になるが、本発明によれば、ロール状に巻かれたシートを巻き戻して伸延させるので、そのような引掛りを回避することができる。また、帯状に折り畳まれたシートは、地上の作業者が掛け始め位置と掛け終り位置の物品から垂れ下がったシートの両端を把持して物品の幅方向に広げることにより、物品の全体にシートを掛け渡すことができる。このように、本発明のシート掛け補助装置を用いれば、物品のシート掛け作業を地上の作業者が安全に、かつ支障なく行うことができる。
【００１４】
また、物品がシート掛け方向に長いと、物品の長手方向の中央部のシートの折り畳みを広げ難い場合がある。この場合は、既に掛け渡して垂れ下がっているシート掛け始め位置又は掛け終り位置のシートと物品との間に、シート掛けロッドを挿入するとともに必要に応じて伸長し、さらに支柱を伸長してシート掛けロッドによって帯状に折り畳まれたシートを持ち上げた状態で、シートの折り畳みを広げ難い場所まで台車を移動する。これにより、物品とシートあるいはシート同士の引っ掛かりが解除されて、地上の作業者がシートの両端を把持して物品の幅方向に広げる作業を容易に行うことができる。
【００１５】
特に、本発明によれば、シート掛けロッドの基端部に近いパイプの外周にシート巻取りパイプを回転自在に装着したことから、地上で折り畳んだ帯状のシートの一端をシート巻取りパイプに結び付けてシート巻取りパイプを回転させることにより、帯状のシートをロール状に容易に巻取ることができる。なお、シート巻取りパイプの回転は、人力又はモータ等の動力のいずれを用いてもよい。
【００１６】
本発明において、前記シート掛けロッドは、先端部のパイプの周りに回転自在に装着された腕部材と、該腕部材の回転中心に対して対称位置に軸支された一対のローラとからなる補助ローラを備えていることが好ましい。例えば、シート掛け対象の物品の幅が大きい場合、ロッド支持装置に片持ち支持されたシート掛けロッドの先端が垂れ下がって物品に引っ掛かるおそれがある。この点、本発明の補助ローラを備えていれば、シート掛けロッドの先端を補助ローラを介して物品の上面に預けることができるから、シート掛けロッドの先端が垂れ下がって物品に引っ掛かるおそれを回避することができる。また、補助ローラは腕部材を介してシート掛けロッドの先端部に回転自在に支持されているから、物品の上面の起伏に追従して回転してシート掛けロッドの先端部を支承することができる。
【発明の効果】
【００１７】
本発明によれば、物品のシート掛け作業を地上の作業者が安全に、かつ支障なく行うことができる。
【図面の簡単な説明】
【００１８】
【図１】本発明の一実施例のシート掛け補助装置の構成図であり、（ａ）は正面図、（ｂ）は側面図、（ｃ）は上面図である。
【図２】図１の実施例の特徴部に係るシート掛けロッドを示す図である。
【図３】図２のシート掛けロッドの要部詳細図である。
【図４】図２のブレーキの詳細図である。
【図５】図２のクランプの詳細図である。
【図６】シート掛けロッドの先端部に設けた補助ローラの詳細構成図である。
【図７】シートの折り畳み例を示す図である。
【図８】一実施例のシート掛け補助装置を用いて物品にシート掛けを行う基本動作を説明する図である。
【図９】一実施例のシート掛け補助装置を用いて物品にシート掛けを行う応用動作を説明する図である。
【発明を実施するための形態】
【００１９】
図１〜図６を参照して、本発明の一実施例のシート掛け補助装置の構成を説明する。本実施例のシート掛け補助装置１は、動力走行可能な台車２と、台車２に起立させて伸縮可能に設けられた支柱３と、支柱３の先端部に設けられたロッド支持装置４と、ロッド支持装置４に支持されたシート掛けロッド５とを備えて構成されている。台車２は、４つの車輪６を駆動する図示しないモータを備え、作業員が操作するリモートコントローラにより、前後に走行可能に、かつ操舵可能に形成されている。また、台車２は、物品間の隙間を走行できる幅（例えば、８０ｃｍ以内）にすることが好ましい。支柱３は、断面矩形に形成され角筒の一辺を順次大きくした複数の角筒を嵌め込んで、伸縮自在に形成されている。支柱３には、高さを伸縮する伸縮駆動装置７が設けられている。ロッド支持装置４は、支柱３の先端部の角筒８の筒壁８ａに固定して設けられている。
【００２０】
シート掛けロッド５は、図２、図３に示すように、パイプ材によりロッド状に形成されている。すなわち、ロッド支持装置４に回転自在に支持される基部ロッド５ａと、基部ロッド５ａのパイプ内に挿入可能な径のパイプからなる第１ロッド５ｂと、第１ロッド５ｂの中に挿入可能な径のパイプからなる第２ロッド５ｃとを嵌め込んで伸縮自在に形成されている。なお、シート掛けロッド５は本実施例に限られるものではなく、必要に応じて３本以上のロッドを順次嵌め込んで伸縮自在に形成することができる。
【００２１】
基端ロッド５ａと第１ロッド５ｂの挿し込み連結部及び第１ロッド５ｂと第２ロッド５ｃの挿し込み連結部には、それぞれブレーキ１０とクランプ１１が設けられている。本実施例では、第１ロッド５ｂの外周に装着されている樹脂製のシート巻取りパイプ１２が回転自在に装着されている。また、図４に示すように、ブレーキ１０は、半割りの一対のブレーキシューシート１０ａ，１０ｂが内面に取り付けられた一対のクランプ１０ｃ、１０ｄの一端を、ピン１０ｅ周りに開閉可能に取り付け、他端を蝶ネジ１０ｆで連結するように形成されている。なお、ピン１０ｅはフランジ１０ｇを仲介して基端パイプ５ａに固定されている。そして、蝶ネジ１０ｆを締め付けることによりシート巻取りパイプ１２を基端パイプ５ａに固定可能になっている。なお、基端パイプ５ａと第１ロッド５ｂの挿し込み連結部は、例えば、基端パイプ５ａの先端部の内径と第１ロッド５ｂの連結部の外径を調整して、伸長時に摩擦固定するようになっている。シート巻取りパイプ１２の第１ロッド５ｂと第２ロッド５ｃの挿し込み連結部側は、クランプ１１の手前の第１ロッド５ｂに装着された金属カラー１４周りに回転自在に装着されている。クランプ１１は、図５に示すように、半円環状の一対のクランプ片１１ａ，１１ｂで第１ロッド５ｂを挟み込み、一対のクランプ片１１ａ，１１ｂに渡して設けられた手回しネジ１１ｃ、１１ｄにより、第１ロッド５ｂと第２ロッド５ｃの挿し込み連結部を締め付けるようになっている。これにより、巻取りパイプ１２を第１ロッド５ｂに被せた後、クランプ１１を第１ロッド５ｂ端に固定して、巻取りパイプ１２が第２ロッド５ｃ側に移動して抜け出るのを防止している。
【００２２】
さらに、シート掛けロッド５の先端部の第２ロッド５ｃには、第２ロッド５ｃの軸周りに回転可能に補助ローラ１３が設けられている。補助ローラ１３は、図６に示すように、第２ロッド５ｃの先端に軸受１３ａを介して支持される腕部材１３ｂと、腕部材１３ｂの回転中心に対して回転角度方向に１８０度以下の任意の角度ずらした位置に軸支された一対のローラ１３ｃ、ｄとから形成されている。
【００２３】
基部ロッド５ａの長手方向の中央部に、パイプ１５ａ、ｂを基部ロッド５ａに対して十字状に固定した回転軸部１６が形成されている。パイプ１５ａの一端は筒壁８ａの壁面に設けられた軸受１７に軸支され、他端はロッド回転装置１８に設けられた軸受に軸支されている。これにより、基部ロッド５ａは、支柱３の筒壁８ａの壁面に平行な面内で回転自在に支持されている。ロッド回転装置１８は、回転軸部１６のパイプ１５ｂに連結された歯車機構に噛み合わされたハンドル１９を有して形成されている。ハンドル１９を回転することにより、基部ロッド５ａを台車２の走行方向に直交する垂直位置（図示点線位置Ａ）と水平位置（図示実線位置Ｂ）の間で起伏可能に形成されている。これに合わせて、ロッド支持装置４には、基部ロッド５ａの回転を垂直位置でロックする垂直ロック装置２０と、水平位置でロックする水平ロック装置２１ａ、ｂを備えて形成されている。
【００２４】
このように構成される実施例のシート掛け補助装置１を用いて行うシート掛け作業の手順の一例を、図７〜図９を参照して説明する。なお、図示例では、直方体状に木枠梱包された物品３０を例として説明する。しかし、本発明はこれに限られるものではなく、物流、倉庫作業において機械類、資材、機材、あるいはそれらが収容され梱包木箱等の物品の保管や輸送にあたって、物品が埃、風雨、露、日光に晒されるのを防ぐために物品にシートを掛ける作業の全般にわたって用いることができることは、以下の説明から明らかである。
【００２５】
まず、支柱３の高さを低くし、シート掛けロッド５を垂直に立てた状態で、台車２を走行させてシート掛け対象の物品３０のシート掛け始め位置（図８の例では、位置３１）に移動する。シート掛け始め位置３１において、台車２がシート掛け終り位置（図８の例では、位置３２）まで物品３０の側面３０ｂに沿って走行できる位置及び向きに調整する。また、物品３０のシート掛け始め位置３１の側面３０ａに平行にシート掛けロッド５を倒せるように、台車の位置及び向きを調整する。
【００２６】
次に、ロッド支持装置４の垂直ロック装置２０を解除して、ハンドル１９を駆動してシート掛けロッド５を水平位置に倒し、水平ロック装置２１ａ、ｂによりシート掛けロッド５の回転を拘束する。この状態で、帯状に折り畳んだシート４０の一端をシート掛けロッド５のシート巻取りパイプ１２に縛り付ける。ここで、シート４０の畳み方は、図７（ａ）又は（ｂ）に示すように、一般的に行われているものであり、シート４０を一旦広げ、シート掛け方向に直交する幅方向の両端から、幅方向の中心に向って半分ずつ折り畳んで行き、畳み幅がシート巻取りパイプ１２の長さよりも小さい帯状にする。そして、帯状に折り畳んだシート４０を、図７（ａ）又は（ｂ）に示すようにロール状に丸めてもよいが、丸めなくてもよい。帯状に折り畳んだシート４０を丸めて保管していた場合は、わざわざロール状のシート４０を巻き戻すことなく、ロール状の芯部にシート掛けロッド５の先端から挿入する要領で、ロール状のシート４０をシート巻取りパイプ１２に装着する。このとき、シート４０の巻き出し側が図８のように下になるように、あるいは上になるように装着する。また、帯状に折り畳んだシート４０がロール状に丸められていない場合は、折り畳んだシート４０の一端をシート巻取りパイプ１２に縛り付ける等により巻き付けてから、シート巻取りパイプ１２を人力により回転させてロール状に巻き付ける。この場合、シート巻取りパイプ１２をモータ等により回転させるようにすることができるのは言うまでもない。
【００２７】
次に、巻取られたロール状のシート４０の終端を、図８に示すように作業者４１が保持した状態で、ロール状のシート４０が物品３０の上面３０ｃをかわす高さまで支柱３を伸長する。これにより、作業者４１が物品３０の上面３０ｃに上るような高所作業を行うことなく、ロール状のシート４０を物品３０の上面３０ｃに持ち上げることができる。そして、台車2を物品３０に沿って図示矢印４２の方向に走行させると、ロール状のシート４０が物品３０の上面３０ｃを転動しながら巻き戻されて、物品３０の上面３０ｃに展開される。このようにして台車2をシート掛け終り位置３２まで走行させ、シート掛けロッド５が上面３０ｃから外れる位置に達したとき、支柱３を短縮してシート掛けロッド５の高さを下げて、初期位置に戻す。これにより、ロール状のシート４０が巻き戻されて物品３０の全長にわたって帯状のシート４０を伸延することができる。
【００２８】
次に、物品３０の全長にわたって帯状のシート４０が展開された状態では、帯状のシート４０はシート掛け始め位置とシート掛け終り位置の物品３０の側面３０ａと３０ｄに垂れ下がった状態になっている。そこで、複数の作業者４１により、帯状のシート４０の両端をつかみ、折り畳みをほどく方向（幅方向）に広げることにより、物品３０の全体にシート４０を掛け渡すことができる。
【００２９】
ところで、物品３０がシート掛け方向に長い場合や、物品３０の上面に凹凸や突起がある場合、物品３０の長手方向の中央部のシート４０の折り畳みを、地上から広げ難い場合がある。この場合は、既に掛け渡して垂れ下がっているシート掛け始め位置又は掛け終り位置のシート４０と物品３０との間に、シート掛けロッド５を挿入する。そして、図９に示すように、支柱３を伸長して、シート掛けロッド５により帯状のシート４０を持ち上げ、その状態でシート４０の折り畳みを広げ難い場所まで台車2を移動する。これにより、物品３０とシート４０あるいはシート４０同士の引っ掛かりが解除されて、地上の作業者４１がシートの両端を把持して物品３０の幅方向に広げる作業を容易に行うことができる。つまり、シート４０の位置調整や絡まり調整をする場合、シート掛けロッド５を物品３０の垂直面に垂れ下がっているシート４０の下端からシート内側に挿入し、シート掛けロッド５を物品３０の上面をかわす高さに持ち上げてシート４０を持ち上げ、その状態で地上の作業者４１がシート４０を引っ張って絡まりや引掛りを外したり、位置を修正することができる。
【００３０】
以上説明したように、本実施例によれば、特許文献１のように、広げた状態のシートの一端を引っ張ってシート掛けすると、シートの後端側が物品の上端の角に引っ掛かることがあり、引掛り防止などの対策が必要になるが、本実施例によれば、ロール状に巻かれたシート４０を巻き戻して伸延させるので、そのような引掛りを回避することができる。また、帯状に折り畳まれたシート４０は、地上の作業者４１が掛け始め位置３１と掛け終り位置３２において、物品３０から垂れ下がったシート４０の両端を把持して物品３０の幅方向に広げることにより、物品３０の全体にシート４０を掛け渡すことができる。このように、本実施例のシート掛け補助装置１を用いれば、物品のシート掛け作業を地上の作業者が安全に、かつ支障なく行うことができる。
【００３１】
特に、本実施例によれば、シート掛けロッド５の基部ロッド５ａに連結された第１ロッド５ｂの外周にシート巻取りパイプ１２を回転自在に装着しているから、地上で折り畳んだ帯状のシート４０の一端をシート巻取りパイプ１２に固定してシート巻取りパイプ１２を回転させることにより、帯状のシート４０をロール状に容易に巻取ることができる。なお、シート巻取りパイプ１２の回転は、人力又はモータ等の動力のいずれを用いてもよい。また、ロール状に丸めたシート４０が重い場合は、シート巻取りパイプ１２の基部ロッド５ａに近い部分に巻き付けることにより、台車２の転倒を防ぐことができる。さらに、シート巻取りパイプ１２が回転し易いと、シート４０の掛け渡し作業に支障が生ずる場合があるので、その場合はシート巻取りパイプ１２の回転を抑制するブレーキ１０を操作することが好ましい。
【００３２】
本実施例においては、例えば、シート掛け対象の物品３０の幅が大きい場合、ロッド支持装置４に片持ち支持されたシート掛けロッド５の先端が垂れ下がるが、補助ローラ１３が物品３０の上面の起伏に追従して回転し、シート掛けロッド５の先端部を支承することができ、シート掛けロッド５の先端が物品３０に引っ掛かるおそれを回避することができる。また、補助ローラ１３は、一対のローラ１３ｃ、１３ｄを備えているから、シート掛けロッド５を上昇させて物品３０の上面と側面との角部（図４の想像線１５に示す位置）に至ったとき、先行する例えばローラ１３ｄがスムーズに角部を乗り越えることができ、シート掛けロッド５の進行を妨げることがない。
【符号の説明】
【００３３】
１  シート掛け補助装置
２  台車
３  支柱
４  ロッド支持装置
５  シート掛けロッド
５ａ  基部ロッド
５ｂ  第１ロッド
５ｃ  第２ロッド
１０  ブレーキ
１１  クランプ
１２  シート巻取りパイプ
１３  補助ローラ
１６  回転軸部
１７  軸受
１８  ロッド回転装置
１９  ハンドル
【図１】
2014189320.tif 000003
【図２】
2014189320.tif 000004
【図３】
2014189320.tif 000005
【図４】
2014189320.tif 000006
【図５】
2014189320.tif 000007
【図６】
2014189320.tif 000008
【図７】
2014189320.tif 000009
【図８】
2014189320.tif 000010
【図９】
2014189320.tif 000011